(57)【要約】【課題】無操作状態における所定時間以上の動作継続の制限を回避することのできる「ＡＶ装置」を提供する。【解決手段】ＡＶ装置１のインターネットラジオエージェントは、携帯装置２のインターネットラジオクライアントを介して、インターネットラジオサーバ４のＡＶコンテンツ配信サービスを利用する。インターネットラジオエージェントは、タイマで計測しているインターネットラジオサーバ４の無操作継続利用時間の計測値が、インターネットラジオサーバ４の無操作継続利用制限時間に接近したならば、配信ＡＶコンテンツをスキップさせるダミーのユーザ操作の受付を強制的に発生させ、インターネットラジオサーバ４にスキップ要求を発行する。そして、時間制限を回避するために強制的に操作を行ったことを表すメッセージ２５０を表示装置１０７に表示し、タイマを再スタートする（ｂ１）。【選択図】図２
2012023653.tif 000002
【特許請求の範囲】
【請求項１】
所定の機能を提供する機能部であって、当該機能部に対する所定の操作が行われない状態で、当該機能部の利用を継続することができる時間を所定の制限時間内に制限している前記機能部を利用して、ＡＶコンテンツを出力するＡＶ装置であって、
当該ＡＶ装置は、
ユーザ操作に応じて、前記機能部に対する前記所定の操作を実行する操作手段と、
前記機能部に対する前記所定の操作が発生しない状態における、前記機能部の利用継続時間が、前記制限時間に接近したことを検出する検出手段と、
前記検出手段が、前記接近を検出したときに、自動的に、前記機能部に対する前記所定の操作を実行する自動操作実行手段とを有することを特徴とするＡＶ装置。
【請求項２】
所定の機能を提供する機能部であって、当該機能部に対する所定の操作が行われない状態で、当該機能部の利用を継続することができる時間を所定の制限時間内に制限している前記機能部を利用して、ＡＶコンテンツを出力するＡＶ装置であって、
ユーザ操作に応じて、前記機能部に対する前記所定の操作を実行する操作手段と、
前記機能部に対する前記所定の操作が発生しない状態における、前記機能部の利用継続時間が、前記制限時間に接近したことを検出する検出手段と、
前記検出手段が、前記接近を検出したときに、ユーザに対して前記ユーザ操作の実行を促すユーザ操作勧奨手段とを有することを特徴とするＡＶ装置。
【請求項３】
請求項２記載のＡＶ装置であって、
前記ユーザ操作勧奨手段は、前記接近を検出したときに、前記ユーザ操作の受け付け用の画面を表示することを特徴とするＡＶ装置。
【請求項４】
請求項１、２または３記載のＡＶ装置であって、
前記機能部は、インターネット上に配置されたインターネットラジオサーバであり、前記所定の機能は、前記インターネットラジオサーバの、前記インターネットを介して楽曲を逐次配信する楽曲配信機能であることを特徴とするＡＶ装置。
【請求項５】
請求項４記載のＡＶ装置であって、
当該ＡＶ装置に接続された携帯装置が備える、前記インターネットラジオサーバのクライアント機能を利用して、前記インターネットラジオサーバの楽曲配信機能を利用することを特徴とするＡＶ装置。
【請求項６】
１以上の外部入力と内部チューナとを備えたテレビ装置であって、
ユーザの選択に応じて、前記内部チューナからの入力と、前記各外部入力からの入力とのうちの一つの入力を、現用入力として設定し、当該現用入力から入力する映像信号を、当該テレビ装置において表示出力する映像信号として選択する選択手段と、
当該テレビ装置に対する操作が所定時間以上発生しなかった場合に、当該テレビ装置の電源をオフする自動パワーオフ処理を実行する自動パワーオフ制御手段とを備え、
前記自動パワーオフ制御手段は、前記外部入力が前記現用入力として設定されている場合には、前記自動パワーオフ処理の実行を抑止することを特徴とするテレビ装置。
【請求項７】
請求項６記載のテレビ装置であって、
前記各外部入力に対して、ユーザの設定操作に応じて選択的に無自動パワーオフモードを設定する設定手段と、
前記自動パワーオフ制御手段は、当該現用入力として設定されている前記外部入力に対して無自動パワーオフモードが設定されていない場合には、前記自動パワーオフ処理の実行を抑止しないことを特徴とするテレビ装置。
【請求項８】
請求項６または７記載のテレビ装置であって、
前記自動パワーオフ制御手段は、当該現用入力として設定されている前記外部入力から有効な映像信号が入力していない場合には、前記自動パワーオフ処理の実行を抑止しないことを特徴とするテレビ装置。
【請求項９】
１以上の外部入力と内部チューナとを備えたテレビ装置であって、
ユーザの選択に応じて、前記内部チューナからの入力と、前記各外部入力からの入力とのうちの一つの入力を、現用入力として設定し、当該現用入力から入力する映像信号を、当該テレビ装置において表示出力する映像信号として選択する選択手段と、
前記外部入力に接続された外部機器からの当該外部機器に対する操作の発生の通知を受信する通知受信手段と、
当該テレビ装置に対する操作も、前記現用入力として設定されている外部入力に接続された外部機器からの当該外部機器に対する操作の発生の通知も、所定時間以上発生しなかった場合に、当該テレビ装置の電源をオフする自動パワーオフ処理を実行する自動パワーオフ制御手段とを有することを特徴とするテレビ装置。
【発明の詳細な説明】
【技術分野】
【０００１】
本発明は、ＡＶ装置において、無操作状態における所定時間以上の動作継続の制限する技術に関するものである。
【背景技術】
【０００２】
ＡＶ装置において、無操作状態における所定時間以上の動作継続の制限する技術としては、ボイスレコーダとしての機能も備えたデジタルカメラにおいて、デジタルカメラとして機能している場合に無操作状態が所定時間以上継続した場合には自動的に電源をオフし、ボイスレコーダとして機能している場合に当該自動的な電源オフを行わない技術（たとえば、特許文献１）や、無操作状態が所定時間以上継続した場合に自動的に電源をオフする記録再生装置において、当該所定時間をユーザが任意に設定できるようにした技術（たとえば、特許文献２）が知られている。
【先行技術文献】
【特許文献】
【０００３】
【特許文献１】特開２００２-２２３４０３号公報
【特許文献２】特開平０５-１８３８５６号公報
【発明の概要】
【発明が解決しようとする課題】
【０００４】
車載のＡＶ装置においては、運転者であるユーザの操作の必要性を排除することが好ましいため、無操作状態における所定時間以上の動作継続の制限は、これを回避できるようにすることが望ましい。
また、ＡＶ装置がシステムの一部を構成する場合、ＡＶ装置において、ユーザのシステムに対する操作を検出できない場合があり、このような場合には、ＡＶ装置において無操作状態が所定時間以上継続した場合に自動的に電源をオフすると支障が生じる場合がある。
【０００５】
たとえば、テレビ装置と、当該テレビ装置を映像音声の出力に用いるゲーム装置によってシステムを構成する場合に、テレビ装置において、テレビ装置に対する無操作状態が所定時間以上継続した場合に自動的に電源をオフすると、ユーザがゲーム装置を操作してゲームを行っている最中にテレビ装置の電源がオフしてしまうことになる。
【０００６】
したがって、このような場合にも、無操作状態における所定時間以上の動作継続の制限を回避できるようにすることが望ましい。
そこで、本発明は、無操作状態における所定時間以上の動作継続の制限を回避することのできるＡＶ装置を提供することを課題とする。
【課題を解決するための手段】
【０００７】
前記課題達成のために、本発明は、所定の機能を提供する機能部であって、当該機能部に対する所定の操作が行われない状態で、当該機能部の利用を継続することができる時間を所定の制限時間内に制限している前記機能部を利用して、ＡＶコンテンツを出力するＡＶ装置に、ユーザ操作に応じて、前記機能部に対する前記所定の操作を実行する操作手段と、前記機能部に対する前記所定の操作が発生しない状態における、前記機能部の利用継続時間が、前記制限時間に接近したことを検出する検出手段と、前記検出手段が、前記接近を検出したときに、自動的に、前記機能部に対する前記所定の操作を実行する自動操作実行手段とを備えたものである。
【０００８】
このようなＡＶ装置によれば、前記機能部に対する前記所定の操作が発生しない状態における、前記機能部の利用継続時間が、前記制限時間に接近したときに、自動的に、前記機能部に対する前記所定の操作を実行するので、前記機能部の無操作状態での利用継続時間の制限を回避することができるようになる。
【０００９】
また、本発明は、所定の機能を提供する機能部であって、当該機能部に対する所定の操作が行われない状態で、当該機能部の利用を継続することができる時間を所定の制限時間内に制限している前記機能部を利用して、ＡＶコンテンツを出力するＡＶ装置に、ユーザ操作に応じて、前記機能部に対する前記所定の操作を実行する操作手段と、前記機能部に対する前記所定の操作が発生しない状態における、前記機能部の利用継続時間が、前記制限時間に接近したことを検出する検出手段と、前記検出手段が、前記接近を検出したときに、ユーザに対して前記ユーザ操作の実行を促すユーザ操作勧奨手段とを備えたものである。ここで、前記ユーザ操作勧奨手段は、前記接近を検出したときに、前記ユーザ操作の受け付け用の画面を表示するように構成してもよい。
【００１０】
ここで、以上の各ＡＶ装置において、前記機能部は、インターネット上に配置されたインターネットラジオサーバであり、前記所定の機能は、前記インターネットラジオサーバの、前記インターネットを介して楽曲を逐次配信する楽曲配信機能とすることができる。また、この場合には、ＡＶ装置は、当該ＡＶ装置に接続された携帯装置が備える、前記インターネットラジオサーバのクライアント機能を利用して、前記インターネットラジオサーバの楽曲配信機能を利用するものとすることもできる。
このようなＡＶ装置によれば、前記機能部に対する前記所定の操作が発生しない状態における、前記機能部の利用継続時間が、前記制限時間に接近したときに、前記所定の操作を実行させるためのユーザ操作の実行をユーザに対して勧奨することにより、前記機能部の無操作状態での利用継続時間の制限の発動前に、ユーザに当該操作を発生させて、当該制限の発動を抑制することができるようになる。
【００１１】
また、前記課題達成のために、本発明は、１以上の外部入力と内部チューナとを備えたテレビ装置に、ユーザの選択に応じて、前記内部チューナからの入力と、前記各外部入力からの入力とのうちの一つの入力を、現用入力として設定し、当該現用入力から入力する映像信号を、当該テレビ装置において表示出力する映像信号として選択する選択手段と、当該テレビ装置に対する操作が所定時間以上発生しなかった場合に、当該テレビ装置の電源をオフする自動パワーオフ処理を実行する自動パワーオフ制御手段とを備え、前記自動パワーオフ制御手段において、前記外部入力が前記現用入力として設定されている場合には、前記自動パワーオフ処理の実行を抑止するようにしたものである。
【００１２】
ここで、このようなテレビ装置は、さらに、前記各外部入力に対して、ユーザの設定操作に応じて選択的に無自動パワーオフモードを設定する設定手段を設け、前記自動パワーオフ制御手段において、当該現用入力として設定されている前記外部入力に対して無自動パワーオフモードが設定されていない場合には、前記自動パワーオフ処理の実行を抑止しないようにしてもよい。
【００１３】
または、このようなテレビ装置は、前記自動パワーオフ制御手段において、当該現用入力として設定されている前記外部入力から有効な映像信号が入力していない場合には、前記自動パワーオフ処理の実行を抑止しないように構成してもよい。
また、前記課題達成のために、１以上の外部入力と内部チューナとを備えたテレビ装置に、ユーザの選択に応じて、前記内部チューナからの入力と、前記各外部入力からの入力とのうちの一つの入力を、現用入力として設定し、当該現用入力から入力する映像信号を、当該テレビ装置において表示出力する映像信号として選択する選択手段と、前記外部入力に接続された外部機器からの当該外部機器に対する操作の発生の通知を受信する通知受信手段と、当該テレビ装置に対する操作も、前記現用入力として設定されている外部入力に接続された外部機器からの当該外部機器に対する操作の発生の通知も、所定時間以上発生しなかった場合に、当該テレビ装置の電源をオフする自動パワーオフ処理を実行する自動パワーオフ制御手段とを備えたものである。
【００１４】
これらのようなテレビ装置によれば、ユーザが、外部入力に接続した外部機器を、当該外部機器の映像出力にテレビ装置を用いる形態で利用しているときに、テレビ装置において、当該テレビ装置に対するユーザの無操作の継続による自動パワーオフが行われないようにすることができる。
【発明の効果】
【００１５】
以上のように、本発明によれば、テレビ装置やその他のＡＶ装置において、無操作状態における所定時間以上の動作継続の制限を回避することができる。
【図面の簡単な説明】
【００１６】
【図１】本発明の第１実施形態に係るＡＶ装置の構成を示すブロック図である。
【図２】本発明の第１実施形態に係るＡＶ装置の表示画面を示す図である。
【図３】本発明の第１実施形態に係る時間制限回避処理を示すフローチャートである。
【図４】本発明の第２実施形態に係るＡＶシステムの構成を示すブロック図である。
【図５】本発明の第２実施形態に係る自動パワーオフ処理を示すフローチャートである。
【発明を実施するための形態】
【００１７】
以下、本発明の実施形態について説明する。
まず、第１の実施形態について説明する。
図１に、本実施形態に係るＡＶ装置の構成を示す。
ＡＶ装置は自動車に搭載される車載のＡＶ装置であり、図示するように、ＡＶ装置１は、ラジオ放送を受信するチューナ１０１、記憶装置１０２、外部装置インタフェース１０３、ＡＶデコーダ１０４、制御部１０５、出力制御部１０６、表示装置１０７、スピーカ１０８、入力装置１０９とを備えている。
【００１８】
但し、以上のＡＶ装置１は、ハードウエア的には、ＣＰＵや、メモリや、その他の周辺デバイスを有する一般的な構成を備えたコンピュータを利用して構成されるものであって良く、この場合、以上のＡＶ装置１のＡＶデコーダ１０４や制御部１０５など、ＣＰＵが予め用意されたプログラムを実行することにより具現化するプロセスとして実現されるものであって良い。
【００１９】
さて、ここで、外部インタフェースには、携帯装置２を接続することができる。ここで、携帯装置２は、移動電話網やインターネットなどのＷＡＮ３を介してＡＶコンテンツのストリーミング配信を行うインターネットラジオサーバ４にアクセス可能な、移動電話機やスマートフォンなどである。
【００２０】
さて、このようなＡＶ装置１の構成において、制御部１０５は、様々なアプリケーションを実行する。この制御部１０５のアプリケーションの実行は、たとえば、記憶装置１０２に記憶されているアプリケーションプログラムを、制御部１０５において実行することにより実現される。
【００２１】
ここで、制御部１０５が実行するアプリケーションとしては、チューナ１０１を入力装置１０９の操作に応じて制御しつつ、チューナ１０１で受信したＡＶコンテンツをＡＶデコーダ１０４でデコードして出力制御部１０６を介して表示装置１０７やスピーカ１０８に出力するラジオアプリケーションや、記憶装置１０２に記憶されているＡＶコンテンツをＡＶデコーダ１０４でデコードして出力制御部１０６を介して表示装置１０７やスピーカ１０８に出力するメディアプレイヤアプリケーションや、インターネットラジオエージェントなどがある。
【００２２】
ここで、インターネットラジオエージェントは、携帯装置２で実行されるアプリケーションであるインターネットラジオクライアントのＵＩを、ＡＶ装置１の表示装置１０７やスピーカ１０８や入力装置１０９を用いて代行するためのアプリケーションである。
また、携帯装置２で実行されるインターネットラジオクライアントは、インターネットラジオサーバ４にアクセスしてインターネットラジオサーバ４からストリーミング配信されるＡＶコンテンツを出力するアプリケーションである。
そして、この携帯装置２で実行されるインターネットラジオクライアントは、携帯装置２がＡＶ装置１に接続されていないときには、携帯装置２自身が備える表示部や内部スピーカを用いて、ストリーミング配信されたＡＶコンテンツの出力を行うと共に、携帯装置２自身が備える表示部や操作部を用いたＧＵＩをユーザに提供し、当該ＧＵＩで受け付けたユーザ操作に応じて、その動作を行う。
【００２３】
一方、携帯装置２で実行されるインターネットラジオクライアントは、携帯装置２がＡＶ装置１に接続されているときには、ストリーミング配信されたＡＶコンテンツを、ＡＶ装置１のインターネットラジオエージェントに送り、ＡＶ装置１のインターネットラジオエージェントは、受け取ったＡＶコンテンツをＡＶデコーダ１０４でデコードして出力制御部１０６を介して表示装置１０７やスピーカ１０８に出力する。また、ＡＶ装置１のインターネットラジオエージェントは、携帯装置２で実行されるインターネットラジオクライアントから必要な情報を取得しつつ、ＡＶ装置１の表示装置１０７や入力装置１０９を用いたインターネットラジオクライアント用のＧＵＩをユーザに提供し、当該ＧＵＩで受け付けたユーザ操作を、携帯装置２のインターネットラジオクライアントに通知する。そして、携帯装置２のインターネットラジオクライアントは、通知されたユーザ操作に応じて、その動作を行う。
【００２４】
ここで、図２ａ１、ａ２に、インターネットラジオクライアント用のＧＵＩとして、ＡＶ装置１のインターネットラジオエージェントが表示装置１０７に表示する表示画面を示す。
図２ａ１は、ラジオ局の選択画面を表しており、この選択画面には、インターネットラジオサーバ４がＡＶコンテンツの配信を行っているラジオ局のリスト２０１が表示されている。ユーザは、このラジオ局のリスト２０１から、所望のラジオ局を選択して、当該ラジオ局でインターネットラジオサーバ４が配信するＡＶコンテンツを受信することができる。すなわち、インターネットラジオエージェントは、選択画面でユーザによって選択されたラジオ局をインターネットラジオクライアントに通知し、インターネットラジオクライアントは、通知されたラジオ局の視聴をインターネットラジオサーバ４に要求し、インターネットラジオサーバ４は要求されたラジオ局の配信ＡＶコンテンツとして予め定めておいた各ＡＶコンテンツを順次、要求元のインターネットラジオクライアントに配信する。なお、インターネットラジオサーバ４はラジオ局の視聴を要求されたときに、既に、要求元のインターネットラジオクライアントに、他のラジオ局のＡＶコンテンツの配信を行っているときには、当該他のラジオ局のＡＶコンテンツの配信を停止した上で、視聴を要求されたラジオ局のＡＶコンテンツの配信を開始する。
【００２５】
次に、図２ａ２は、現在、出力中のＡＶコンテンツの情報を表す情報画面である。この情報画面は、図２ａ１の選択画面の矢印アイコン２０２から呼び出すことができる他、ラジオ局の選択画面で選択したラジオ局のＡＶコンテンツの受信が開始されると自動的に呼び出される。
【００２６】
さて、図２ａ２の情報画面には、図２ａ１の選択画面を呼び出すための矢印アイコン２１１、出力中のＡＶコンテンツの情報２１２が表示される。ここで、ＡＶコンテンツの情報２１２としては、出力中のＡＶコンテンツが楽曲である場合には、当該楽曲に関連づけられたアートワーク（通常は、当該楽曲のジャケット写真）や、当該楽曲のタイトル名や、当該楽曲のアルバム名を表示する。
【００２７】
また、情報画面には、出力中のＡＶコンテンツの評価受付用のボタン２１３、ＡＶコンテンツの再生/一時停止を切り替えるためのボタン２１４、インターネットラジオサーバ４から配信を受けるＡＶコンテンツを一つ次のＡＶコンテンツに切り替える（スキップする）ためのスキップボタン２１５などが設けられている。
【００２８】
ここで、インターネットラジオエージェントは、情報画面でユーザによってスキップボタン２１５が操作されると、その旨をインターネットラジオクライアントに通知し、通知を受けたインターネットラジオクライアントは、スキップをインターネットラジオサーバ４に要求し、要求を受けたインターネットラジオサーバ４は配信中のＡＶコンテンツの配信を停止し、当該ＡＶコンテンツの次に順番づけているＡＶコンテンツからの各ＡＶコンテンツの配信を開始する。
【００２９】
さて、このような構成において、インターネットラジオサーバ４は、ユーザの無操作状態が所定の制限時間（たとえば１時間）継続したインターネットラジオクライアントに対するＡＶコンテンツの配信を停止する時間制限を課している。すなわち、インターネットラジオサーバ４は、制限時間以上、ラジオ局の視聴やスキップ等の要求をインターネットラジオサーバ４に発行しなかったインターネットラジオクライアントが発生した場合、そのインターネットラジオクライアントに対するＡＶコンテンツの配信を自動的に停止する。
【００３０】
以下、このような時間制限を回避するために、ＡＶ装置１のインターネットラジオエージェントが行う時間制限回避処理について説明する。
図３ａに、この時間制限回避処理の手順を示す。
ここで、この時間制限回避処理は、インターネットラジオエージェントが起動され、インターネットラジオサーバ４から配信されたＡＶコンテンツの受信が始まると、その実行が開始される。
図示するように、この処理では、タイマをスタートし（ステップ３０２）、インターネットラジオサーバ４に対してラジオ局の視聴やスキップ等の要求を発行させるユーザ操作の発生と（ステップ３０４）、タイマの計測時間の、前記制限時間への接近の発生と（ステップ３０６）とを監視する。
【００３１】
ここで、タイマの計測時間の前記制限時間への接近の判定は、タイマの計測時間が、制限時間からマージンとして設定した所定の時間（たとえば、３分）を減じた時間に達したときに、タイマの計測時間が前記制限時間に接近したと判定することによって行うようにしてもよい、インターネットラジオサーバ４より取得したＡＶコンテンツの再生時間と、タイマの計測時間とより、現在出力中のＡＶコンテンツの再生終了時のタイマの計測時間が制限時間を超えることが予測される場合に、タイマの計測時間が前記制限時間に接近したと判定することによって行うようにしてもよい。
【００３２】
そして、インターネットラジオサーバ４に対して要求を発行させるユーザ操作が発生した場合には（ステップ３０４）、ステップ３０２に戻ってタイマを０から再スタートする。
一方、タイマの計測時間の、前記制限時間への接近が発生した場合には（ステップ３０６）、インターネットラジオサーバ４に対して要求を発行させるダミーのユーザ操作の受付を強制的に発生させ、当該ユーザ操作の発生をインターネットラジオクライアントに通知する（ステップ３０８）。そして、時間制限を回避するために強制的に操作を行ったことを表すメッセージを表示装置１０７に表示し（ステップ３１０）、ステップ３０２に戻ってタイマを０から再スタートする。
【００３３】
ここで、ステップ３０８で行うダミーのユーザ操作の強制的な受付としては、たとえば、図２ｂ１に示すように、図２ａ２の情報画面における、スキップボタン２１５の操作や、図２ｂ２に示すような、図２ａ１の選択画面における、ラジオ局の切り替えの操作を、ダミーで発生させて、当該操作を受付ることにより行うことができる。また、図２ｂ１、ｂ２に示すように、ステップ３１０で表示するメッセージ２５０は、連続無操作再生時間が制限時間を越えるために、強制操作を行ったことを通知するものとする。
【００３４】
以上、インターネットラジオエージェントが行う時間制限回避処理について説明した。
なお、以上の時間制限回避処理は、図３ｂに示すように、ステップ３０８のダミーのユーザ操作の強制的な受付の処理とステップ３１０のメッセージの表示の処理に代えて、ユーザにインターネットラジオサーバ４に対して要求を発行させるユーザ操作の実行を促し（ステップ３１２）、ユーザ操作の発生を待って（ステップ３１４）、ステップ３０２に戻る処理を行うものとしてもよい。
【００３５】
ここで、このステップ３１２のユーザにインターネットラジオサーバ４に対して要求を発行させるユーザ操作の実行を促す処理としては、たとえば、図２ｂ３に示すように、図２ａの選択画面を強制的に表示し、ラジオ局の切り替えを促すメッセージ２６０を表示するものなどとすることができる。
【００３６】
以上、本発明の第１の実施形態について説明した。
次に、本発明の第２の実施形態について説明する。
図４に、本第２実施形態に係るＡＶシステムの構成を示す。
図示するように、ＡＶシステムは、複数の外部入力を備えたＴＶ装置４０と、ＴＶ装置４０の外部入力に各々接続された外部チューナ４１や記録再生装置４２やゲームプレイヤ４３などの外部ＡＶソース機器とより構成される。
また、ＴＶ装置４０は、スピーカ４０４、表示装置４０５、内部チューナ４０１、内部チューナ４０１からの入力、各外部入力とのうちの、いずれか一つの入力を現用入力として、現用入力から入力するＡＶデータを選択出力するＡＶセレクタ４０２、ＡＶセレクタ４０２が出力するＡＶデータを処理し、ＡＶデータが表す音声をスピーカ４０４に、ＡＶデータが表す映像を表示装置４０５に出力するＡＶ処理部４０３、ユーザ操作を受け付ける操作部４０８、ユーザ操作に応じて以上各部の動作を制御する制御部４０７、ＡＶセレクタ４０２の出力に有効なＡＶデータが含まれているかどうか、すなわち、現用入力となっている外部入力に接続されている外部ＡＶソース機器がＡＶデータを出力しているかどうかを検出する信号検出部４０６とを備えている。
【００３７】
ここで、制御部４０７が操作部４０８で受け付けたユーザ操作に応じて行う制御としては、内部チューナ４０１で受信する放送チャネルの設定、内部チューナ４０１からの入力と各外部入力とのうちのいずれを現用入力とするかのＡＶセレクタ４０２への設定、ＡＶ処理部４０３において行う音声の音響特性の調整や映像の画質調整の調整値の設定などがある。
【００３８】
さて、このような構成において、制御部４０７は、外部入力の各々の無自動パワーオフモードの設定の有無を記憶している。また、制御部４０７は、操作部４０８の所定のユーザ操作に応じて、当該外部入力の各々の無自動パワーオフモードの設定の有無を切り替える。
また、制御部４０７は、図５ａに示す自動パワーオフ処理を行う。
図示するように、この処理において、制御部４０７は、ＴＶ装置４０の電源オンが発生すると（ステップ５０２）、ＴＶ装置４０の状態が、無自動パワーオフモードが設定されている外部入力からのＡＶデータをＡＶセレクタ４０２が選択出力しており、かつ、ＡＶセレクタ４０２の出力に有効なＡＶデータが含まれている状態でなくなるのを待つ（ステップ５０４）。
【００３９】
そして、無自動パワーオフモードが設定されている外部入力以外からのＡＶデータをＡＶセレクタ４０２が選択出力している状態か、ＡＶセレクタ４０２の出力に有効なＡＶデータが含まれていない状態が発生したならば（ステップ５０４）。所定のタイムアウト時間（たとえば、１時間）を持つタイマをスタートし（ステップ５０６）、ユーザのＴＶ装置４０の操作部４０８の操作の発生と（ステップ５０８）、無自動パワーオフモードが設定されている外部入力からのＡＶデータをＡＶセレクタ４０２が選択出力しており、かつ、ＡＶセレクタ４０２の出力に有効なＡＶデータが含まれている状態の発生と（ステップ５１０）、タイマのタイムアウトの発生と（ステップ５１２）とを監視する。
【００４０】
そして、ユーザのＴＶ装置４０の操作部４０８の操作が発生するか（ステップ５０８）、無自動パワーオフモードが設定されている外部入力からのＡＶデータをＡＶセレクタ４０２が選択出力しており、かつ、ＡＶセレクタ４０２の出力に有効なＡＶデータが含まれている状態が発生したならば（ステップ５１０）、ステップ５０２からの処理に戻る。
【００４１】
一方、タイマのタイムアウトが発生した場合には（ステップ５１２）、ＴＶ装置４０の電源をオフし（ステップ５１４）、ステップ５０２に戻ってＴＶ装置４０の電源オンの発生を待つ。
以上、ＴＶ装置４０の制御部４０７が行う自動パワーオフ処理について説明した。
このような自動パワーオフ処理によれば、ＴＶ装置４０の状態が、ユーザが無自動パワーオフモードを設定した外部入力からの入力が現用入力として設定されており、かつ、現用入力となっている外部入力に接続されている外部ＡＶソース機器がＡＶデータを出力している状態である期間中は、無操作の継続によるＴＶ装置４０の電源オフは実行されない。したがって、ユーザが、無自動パワーオフモードを設定した外部入力を設定した外部ＡＶソース機器の出力をＴＶ装置４０を用いて視聴している期間中は、ＴＶ装置４０の自動パワーオフ機能は停止されることとなる。一方、ユーザが無自動パワーオフモードを設定した外部入力からの入力が現用入力として設定されている場合でも、現用入力となっている外部入力に接続されている外部ＡＶソース機器がＡＶデータを出力していない場合、すなわち、ユーザが当該外部ＡＶソース機器の出力をＴＶ装置４０を用いて視聴していない場合には、ＴＶ装置４０の自動パワーオフ機能は停止されない。
【００４２】
ところで、以上の自動パワーオフ処理は、以下のように行うようにしてもよい。
すなわち、図４に点線で示すように、ＴＶ装置４０の各外部入力に接続した外部ＡＶソース機器からＴＶ装置４０の制御部４０７に、外部ＡＶソース機器に対するユーザ操作の発生を通知するようにする。
そして、自動パワーオフ処理は、図５ｂに示すように行う。
すなわち、自動パワーオフ処理では、制御部４０７は、ＴＶ装置４０の電源オンが発生すると（ステップ５５２）、所定のタイムアウト時間（たとえば、１時間）を持つタイマをスタートする（ステップ５５４）。
そして、ユーザのＴＶ装置４０の操作部４０８の操作の発生と（ステップ５５６）、現用入力として選択中の外部入力に接続されている外部ＡＶソース機器からのユーザ操作の発生の通知の発生と（ステップ５５８）、タイマのタイムアウトの発生と（ステップ５６０）とを監視する。
そして、ユーザのＴＶ装置４０の操作部４０８の操作（ステップ５５６）、もしくは、現用入力として選択中の外部入力に接続されている外部ＡＶソース機器からのユーザ操作の発生の通知（ステップ５５８）が発生したならば、ステップ５５４に戻ってタイマを０から再スタートする。
一方、タイマのタイムアウトが発生した場合には（ステップ５６０）、ＴＶ装置４０の電源をオフし（ステップ５６２）、ステップ５５２に戻ってＴＶ装置４０の電源オンの発生を待つ。
このような自動パワーオフ処理によれば、タイムアウト時間内に、ＴＶ装置４０で映像を出力中の外部ＡＶソース機器への操作が発生した場合には、ＴＶ装置４０の自動パワーオフを行わないので、外部ＡＶソース機器を操作しながら当該外部ＡＶソース機器の出力をＴＶ装置４０を用いて視聴している期間中、ＴＶ装置４０の自動パワーオフ機能を停止することができる。
以上、本発明の第２の実施形態について説明した。
【符号の説明】
【００４３】
１…ＡＶ装置、２…携帯装置、３…ＷＡＮ、４…インターネットラジオサーバ、４０…ＴＶ装置、４１…外部チューナ、４２…記録再生装置、４３…ゲームプレイヤ、１０…チューナ、１０２…記憶装置、１０３…外部装置インタフェース、１０４…ＡＶデコーダ、１０５…制御部、１０６…出力制御部、１０７…表示装置、１０８…スピーカ、１０９…入力装置、４０１…内部チューナ、４０２…ＡＶセレクタ、４０３…ＡＶ処理部、４０４…スピーカ、４０５…表示装置、４０６…信号検出部、４０７…制御部、４０８…操作部。
【図１】
2012023653.tif 000003
【図２】
2012023653.tif 000004
【図３】
2012023653.tif 000005
【図４】
2012023653.tif 000006
【図５】
2012023653.tif 000007